(57)【要約】【課題】  所定の動作実行中を除いて省エネモードに移行することができて、十分な省エネルギー効果を発揮することができる画像処理装置を提供する。【解決手段】  ネットワーク関連の処理を行うためのＰＤＬボード１３を接続可能にする。そして、外部からのプリントデータの受信等、ＰＤＬボード１３が関与するプリントデータの関連処理動作の実行中には省エネルギーモードへの移行を阻止する。【選択図】      図１
2005311884.tif 000002
【特許請求の範囲】
【請求項１】
インターフェースを介して外部から受信したプリントデータの処理と、所定の条件下における省エネルギーモードへの移行及び省エネルギーモードからの復帰とを制御するための制御部を有する第１ボードと、前記プリントデータの展開処理を行うための第２ボードとを備え、
前記第１ボードで受信された外部からのプリントデータが第２ボードに転送され、その第２ボードで展開処理された後のイメージデータが第１ボードで受信され、受信されたイメージデータが記録部においてプリントされるように、前記制御部による制御が行われるようにした画像処理装置において、
前記制御部は、省エネルギーモードへの移行条件が満たされた場合でも、第１ボードまたは第２ボードのいずれかに、処理中または処理待ちのプリントデータまたはイメージデータが存在するときには、省エネルギーモードへの移行を禁止することを特徴とする画像処理装置。
【請求項２】
第２ボードは、第１ボード側の電源回路から電力供給を受けるとともに、省エネルギーモードにおいて、電力供給が断たれる請求項１に記載の画像処理装置。
【請求項３】
制御部は、省エネルギーモード中に外部からインターフェースを介してプリント要求を受信した場合には、第２ボードに対する電力供給を再開させるとともに、第２ボードがプリントデータ受信可能状態に復帰したか否かを監視し、復帰完了を確認したことに基づいて、外部装置に対して許可信号を出力する請求項２に記載の画像処理装置。
【請求項４】
制御部は、外部からのプリントデータの受信中、受信したプリントデータの第２ボードへの転送中、第２ボードにおけるプリントデータの展開中、第２ボードからのイメージデータの受信中、イメージデータのプリント中、のうちの少なくともひとつに該当する場合に、省エネルギーモードへの移行を禁止する請求項１〜３のうちのいずれか一項に記載の画像処理装置。
【請求項５】
電源がメイン電源とサブ電源とよりなり、省エネルギーモードにおいては、メイン電源が無効化されるとともに、サブ電源が通信系統に対して電力を供給するように構成した請求項１〜４のうちのいずれか一項に記載の画像処理装置。
【請求項６】
前記サブ電源が二次電池である請求項５に記載の画像処理装置。
【発明の詳細な説明】
【技術分野】
【０００１】
この発明は、複写機能付きファクシミリ装置（以下、単に複合機という）等に代表される画像処理装置に関し、より詳しくは、省エネルギーモード（以下、単に省エネモードという）に関する構成において特徴を有する画像処理装置に係るものである。
【背景技術】
【０００２】
一般に、複合機やコピー機等の画像処理装置は、省エネルギーを図るために、電源が入っている状態で所定時間に亘って使用されない場合には、記録に必要な回路等への電源供給を遮断して省エネルギー状態にする、いわゆる省エネモードを設定可能である。一方、複合機等をＬＡＮ等のネットワークに接続するために、オプションボードを同複合機等に装備して、パーソナルコンピュータ（以下、単にパソコンという）からの指示に基づき複合機等をネットワークスキャナやネットワークプリンタとして利用する場合もある。
【０００３】
このように、オプションボードが装備された場合には、パソコンからの指示にただちに対応する必要があるため、省エネモードに移行しても、オプションボードに対する電源供給を遮断することはできない。
【０００４】
例えば、特許文献１に開示されるような画像処理装置においては、オプションボードが装備されているか否かによって、異なった形態の省エネモードが設定されるようになっている。すなわち、オプションボードが装備されている場合には、記録部等への電源供給を遮断する省エネモードが設定されるが、この場合、パソコンから画像データが転送されてくる画像処理部への電源供給の遮断は実行されないようになっており、画像データが損なわれないように配慮されている。これに対して、オプションボードが装備されていない場合には、前記記録部等に加えて前記画像処理部への電源供給をも遮断する省エネモードが設定されるようになっている。
【特許文献１】特開２００２−２８１１９０号公報
【発明の開示】
【発明が解決しようとする課題】
【０００５】
言い換えれば、特許文献１の従来の画像処理装置において、オプションボードが装備されている場合には、パソコンからの指示にただちに対応できるようにするため、オプションボードに関連する部分については省エネモードが実行されず、このため、十分な省エネルギー効果を発揮することができないという問題があった。
【０００６】
この発明は、このような従来の技術に存在する問題点に着目してなされたものである。その目的は、オプションボードを装備した場合であっても、プリントデータやイメージデータが損なわれることなく、十分な省エネルギー効果を発揮することができる画像処理装置を提供することにある。
【課題を解決するための手段】
【０００７】
上記の目的を達成するために、請求項１に記載の発明は、インターフェースを介して外部から受信したプリントデータの処理と、所定の条件下における省エネルギーモードへの移行及び省エネルギーモードからの復帰とを制御するための制御部を有する第１ボードと、前記プリントデータの展開処理を行うための第２ボードとを備え、前記第１ボードで受信された外部からのプリントデータが第２ボードに転送され、その第２ボードで展開処理された後のイメージデータが第１ボードで受信され、受信されたイメージデータが記録部においてプリントされるように、前記制御部による制御が行われるようにした画像処理装置において、前記制御部は、省エネルギーモードへの移行条件が満たされた場合でも、第１ボードまたは第２ボードのいずれかに、処理中または処理待ちのプリントデータまたはイメージデータが存在するときには、省エネルギーモードへの移行を禁止することを特徴とする。
【０００８】
請求項２に記載の発明は、請求項１に記載の発明において、第２ボードは、第１ボード側の電源回路から電力供給を受けるとともに、省エネルギーモードにおいて、電力供給が断たれるようにした。
【０００９】
請求項３に記載の発明は、請求項２に記載の発明において、制御部は、省エネルギーモード中に外部からインターフェースを介してプリント要求を受信した場合には、第２ボードに対する電力供給を再開させるとともに、第２ボードがプリントデータ受信可能状態に復帰したか否かを監視し、復帰完了を確認したことに基づいて、外部装置に対して許可信号を出力する。
【００１０】
請求項４に記載の発明は、請求項１〜３のうちのいずれか一項に記載の発明において、制御部は、外部からのプリントデータの受信中、受信したプリントデータの第２ボードへの転送中、第２ボードにおけるプリントデータの展開中、第２ボードからのイメージデータの受信中、イメージデータのプリント中、のうちの少なくともひとつに該当する場合に、省エネルギーモードへの移行を禁止する。
【００１１】
請求項５に記載の発明は、請求項１〜４のうちのいずれか一項に記載の発明において、電源がメイン電源とサブ電源とよりなり、省エネルギーモードにおいては、メイン電源が無効化されるとともに、サブ電源が通信系統に対して電力を供給するように構成した。
【００１２】
請求項６に記載の発明は、請求項５に記載の発明において、前記サブ電源が二次電池である。
【発明の効果】
【００１３】
以上のように、この発明によれば、省エネモードへの移行条件を満たした場合でも、第１ボードまたは第２ボードに処理中または処理待ちのプリントデータやイメージデータが存在するときには、省エネモードへの移行を禁止し、それ以外のときには省エネモードへの移行条件に従って省エネモードに移行される。このため、オプションボードが設けられていても、プリントデータ及びイメージデータを損なうおそれなく、有効に省エネモードに移行することができて、十分な省エネルギー効果を発揮することができる。
【発明を実施するための最良の形態】
【００１４】
以下に、この発明に係る画像処理装置を複合機に具体化した一実施形態を図面に基づいて説明する。
図１に示すように、ファクシミリシステム１１は、画像処理装置としての複合機１２と、複合機１２のメインボード１２ａにそれぞれＵＳＢ(Universal Serial Bus)インターフェース４１ａ,４１ｂ、４２ａ,４２ｂを介して接続されたオプションボードであるＬＡＮ(Local Area Network)ボード４３及び同じくオプションボードであるＰＤＬ(Print Description Language)ボード１３と、前記メインボード１２ａにＵＳＢインターフェース４２ａ,４２ｂを介して接続された外部装置としてのパソコンよりなる端末装置１４とから構成されている。この実施形態では、前記メインボード１２ａにより第１のボードが構成され、ＰＤＬボード１３により第２のボードが構成されている。なお、前記ＬＡＮボード４３及びＰＤＬボード１３は、複合機１２の外部に配置されて複合機１２の一部を構成しているが、複合機１２に内装されていてもよい。
【００１５】
前記複合機１２のメインボード１２ａは、ＭＰＵ１６とＲＯＭ１７を有する制御部１５、記憶部１８、読取部１９、画像メモリ２０、コーデック２１、モデム２５、ＮＣＵ（網制御回路）２６、メイン電源としての電源回路２７、サブ電源５３等を備えている。さらに、複合機１２は、記録部２２、表示部２３、操作部２４を備えている。そして、各部１５〜２６がバス２８を介して接続されている。
【００１６】
前記制御部１５のＭＰＵ１６は、複合機１２の各構成部分を制御する。制御部１５のＲＯＭ１７は、複合機１２を制御するためのプログラムを記憶する。記憶部１８はＲＡＭからなり、複合機１２に関する各種情報を一時的に記憶する。
【００１７】
前記読取部１９は、スキャナや原稿自動供給装置等から構成され、原稿上のイメージデータを読み取ってイメージ信号を出力する。画像メモリ２０は、読取部１９において読み取った原稿上のイメージデータやファクシミリ受信したイメージデータを一時的に記憶する。コーデック２１は、ファクシミリ送受信等のためにイメージデータの符号化及び復合を行う。記録部２２は、電子写真方式のプリンタよりなり、読取部１９において読み取ったイメージデータやファクシミリ受信したイメージデータを記録紙上に記録する。
【００１８】
前記表示部２３は、ＬＣＤ（液晶ディスプレィ）よりなり、複合機１２の動作状態等を示す各種情報の表示を行う。操作部２４は、通常モードから待機モードに移行させるための節電キー２４ａ、電話番号等を入力するためのテンキー（＊，＃キーを含む）、短縮番号の登録、短縮番号から発信するための短縮キー、原稿の読み取り動作を開始させるためのスタートキー、「通信（ＦＡＸ）」動作または「コピー」動作を設定するための通信／コピーキー等の各種操作キーを備えている。
【００１９】
前記モデム２５は、ファクシミリ伝送制御手順に基づいて送信データの変調及び受信データの復調を行う。ＮＣＵ２６は、電話回線Ｌとの接続を制御するとともに、相手先の電話番号等に対応したダイヤル信号を送出する機能及び着信を検出するための機能を備えている。
【００２０】
前記電源回路２７は、制御部１５にて設定される各モード、つまり、通常モード、待機モード、または省エネモードに基づいて、複合機１２を構成する各部１５〜２６, ＰＤＬボード１３を構成する各部２９,３２等,ＬＡＮボード４３を構成する各部５１,５２等に対して電力を供給したり、電力供給を遮断したりする。なお、前記通常モード、待機モード及び省エネモードの詳細、ＰＤＬボード１３及びＬＡＮボード４３の詳細については、後述する。サブ電源５３は、二次電池よりなり、前記電源回路２７が機能しない省エネモード等の際に、例えば、モデム２５やＬＡＮボード４３等の所要の通信系統に対して電力を供給する。
【００２１】
前記ＰＤＬボード１３は、ＭＰＵ３０とＲＯＭ３１とを有する制御部２９及び記憶部３２から構成されている。そして、各部２９等がバス３３を介して複合機１２の各部に接続されている。
【００２２】
前記ＰＤＬボード１３の制御部２９のＭＰＵ３０は、ＰＤＬボード１３の各構成部分の制御や、複合機１２と端末装置１４との通信処理等の制御を行う。制御部２９のＲＯＭ３１は、ＰＤＬボード１３の動作を制御するためのプログラムを記憶する。記憶部３２はＲＡＭからなり、ＰＤＬボード１３の動作の実行に伴って取得される各種データ等を一時的に記憶する。また、記憶部３２は、後述するように端末装置１４から複合機１２に受信されたプリントデータが、ＰＤＬボード１３に転送されて一時的に保持するとともに、イメージデータに展開させ、そのイメージデータを一時的に記憶する。
【００２３】
前記ＬＡＮボード４３は、複合機１２を、ルータ等よりなるネットワーク６０に接続して使用できる機能を備えるために装備され、ＭＰＵやＲＯＭ等を有するネットワーク制御部５１及び記憶部３２から構成されている。そして、各部５１等がＵＳＢ等のインターフェース４２ａ,４２ｂ及びバス３３を介して複合機１２の各部に接続されている。ＬＡＮボード４３のネットワーク制御部５１には、前記ネットワーク６０がＵＳＢ等のインターフェース４５ａ,４５ｂを介して接続される。ネットワーク６０には、パソコン等の端末装置５０が接続される。
【００２４】
前記端末装置１４は、ＭＰＵ３５とＲＯＭ３６を有する制御部３４、記憶部３７、表示部３８、及び入力部３９から構成されている。そして、各部３４〜３９がバス４０を介して複合機１２の各部に通信可能に接続されている。
【００２５】
前記制御部３４のＭＰＵ３５は、端末装置１４の各構成部分の制御や、ＰＤＬボード１３及びＬＡＮボード４３との通信処理等を行う。制御部３４のＲＯＭ３６は、端末装置１４を制御するためのプログラムを記憶する。記憶部３７はＲＡＭからなり、端末装置１４の動作の実行に伴って取得される各種データ等を一時的に記憶する。表示部３８は液晶ディスプレィ等よりなり、端末装置１４の動作状態等を示す各種情報の表示、及び複合機１２の設定状態等の表示を行う。入力部３９はキーボード等よりなり、複合機１２のモード設定や変更等のための新たな情報の入力を行う。
【００２６】
そして、前記複合機１２の制御部１５は、複合機１２が所定時間に亘って使用されない場合、電源回路２７から複合機１２の各構成部１５〜２６に電源を供給するモードを、通常モードから待機モードに移行させた後、省エネモードに移行させる。この場合、後述のように、制御部１５は、端末装置１４や、ネットワーク６０及びＬＡＮボード４３を介して端末装置５０から複合機１２にプリントデータが送信されてきて、そのデータのイメージデータへの展開やプリント等の処理動作が実行されているときには、省エネモードへの移行が禁止される。
【００２７】
さて、この実施形態においては、前記のように端末装置１４またはＬＡＮボード４３からインターフェース４４ａ，４４ｂ、４２ａ，４２ｂを介して複合機１２がプリントデータを受信する。受信されたプリントデータは複合機１２のメインボード１２ａを経由して、ただちに、あるいは所定量（例えば１ページ分）蓄積された後、ＰＤＬボード１３に転送され、ＰＤＬボード１３上で展開処理されてイメージ化され、記憶部３２に一旦記憶される。
【００２８】
展開処理されたイメージデータは、記憶部３２から再度インターフェース４２ａ,４２ｂを介してメインボード１２ａの記憶部１８に転送されて蓄積され、次いで、記録部２２に対して出力されて用紙上にプリントされる。
【００２９】
このとき、ＰＤＬボード１３は、メインボード１２ａを介して電源回路２７から電力供給を受けているおり、メインボード１２ａを含む複合機１２が省エネモードに移行すると、電源回路２７の機能が無効化されて電源回路２７からの電力供給が断たれる。従って、この省エネモードではプリントデータを処理するための各種の動作を実行できなくなるおそれがある。
【００３０】
ここで、複合機１２の省エネモードへの移行及び省エネモードからの復帰については、メインボード１２ａの制御部１５が制御し、省エネモードに移行する際、サブ電源５３の機能が有効化されて、そのサブ電源５３が前述のように、ＮＣＵ２６やＬＡＮボード４３等の通信系統にのみ電力を供する。
【００３１】
そして、省エネモード中に、メインボード１２ａがインターフェース４４ａ，４４ｂまたは４２ａ，４２ｂ経由で、端末装置１４または５０からプリント要求を受信した場合、電源回路２７の機能が有効化されて省エネモードから待機モードを経て通常モードへの復帰が行われる。これにともなって、メインボード１２ａからＰＤＬボード１３への電源供給が開始される。これと同時に、メインボード１２ａの制御部１５は、ＰＤＬボード１３の状態を監視し、ＰＤＬボード１３の動作可能状態への復帰完了が確認できるまで、プリント要求の発信元に対して拒否信号（ＮＡＣＫ）を送出しつづける。復帰完了が確認できると、プリント要求を許可する信号（ＡＣＫ）を発信元に対して送出する。
【００３２】
すなわち、複合機１２おいて、通常モードから待機モードを経て省エネモードに移行した後、省エネモードから待機モードを経て通常モードに復帰する場合の動作について、図３〜図５に示すフローチャートを用いて説明する。なお、この動作は、制御部１５のＲＯＭ１７に記憶されたプログラムに基づき、ＭＰＵ１６の制御により実行される。
【００３３】
まず、ステップＳ１においては、読取部１９での読取動作や記録部２２での記録動作等が終了してから所定時間が経過しているか否か、または節電キー２４ａが操作されたか否かが判別される。そして、読取や記録動作等の終了後に所定時間が経過した場合、または節電キー２４ａが操作された場合には、ステップＳ２に移行する。
【００３４】
ステップＳ２においては、通常モードから待機モードに移行する。ここで、通常モードとは、何らかの動作指示があった場合には、その動作指示に基づいて直ぐに処理を実行できる状態をいう。具体的には、操作部２４からコピーの動作指示があった場合には、直ぐにコピー処理を実行できる状態をいう。一方、待機モードとは、記録部２２の加熱定着器の温度を所定温度まで低下させるとともに、表示部２３の表示を消去している状態をいう。従って、待機モード中に、例えばコピーの動作指示等があった場合には、記録部２２の加熱定着器の温度を定着温度まで昇温するとともに、表示部２３を点灯する。そして、加熱定着器が所定温度に達すると、コピー動作が開始される。
【００３５】
ステップＳ３においては、待機モードに移行してから所定時間が経過したか否かが判断される。そして、所定時間が経過した場合は、ステップＳ４に移行する。所定時間が経過していない場合は、前記ステップＳ２に戻って、待機モードが維持される。
【００３６】
ステップＳ４においては、ＬＡＮボード４３または端末装置１４から受信したプリントデータのプリント関連処理動作が実行されているか否かが判別される。このプリント関連処理動作の詳細は、図５のフローチャートに示すように、ステップＳ４ａ〜Ｓ４ｅの判別動作が順に実行される。すなわち、ステップＳ４ａでは、図２に（Ｉ）で示すように、ＬＡＮボード４３または端末装置１４から複合機１２にプリントデータが送信されて、そのプリントデータを複合機１２のメインボード１２ａの画像メモリ２０に記憶している途中か否か、すなわち、外部からプリントデータを受信中であるか否かが判別される。ステップＳ４ｂでは、同図に（II）で示すように、前記画像メモリ２０からＰＤＬボード１３の記憶部３２に対してプリントデータを転送している途中か否かが判別される。
【００３７】
さらに、ステップＳ４ｃでは、図２に（III）で示すように、プリントデータがＰＤＬボード１３の記憶部３２でイメージデータに展開されているか否かが判別される。ステップＳ４ｄでは、同図に（IV）で示すように、ＰＤＬボード１３からのイメージデータをメインボード１２ａが受信して、画像メモリ２０に記憶させている途中か否かが判別される。また、ステップＳ４ｅでは、イメージデータのプリント中であるか否かが判別される。
【００３８】
そして、これらのステップＳ４ａ〜Ｓ４ｅの判別において、いずれのプリント関連処理動作が実行されていない場合には、図３のフローチャートのステップＳ５に移行する。いずれかのプリント関連処理動作が実行されている場合には、前記ステップＳ２に戻って、待機モードが維持される。ステップＳ５においては、待機モードから省エネモードに移行する。これにより、図１に示すように、電源回路２７の機能が無効化され、その電源回路２７からの読取部１９や記録部２２等への電源供給が遮断される。一方、電源回路２７の機能が無効化されると、サブ電源５３が充電状態から放電状態に切り替わり、そのサブ電源５３の機能が有効化され、その電力がＮＣＵ２６やＬＡＮボード４３等の通信系統に供給される。
【００３９】
続いて、ステップＳ６においては、省エネモードを解除する復帰要因が発生したか否かが判断される。ここで、復帰要因としては、ＮＣＵ２６がＦＡＸ着信を検出した場合、操作部２４からキー入力があった場合、図２に（Ｖ）で示すように、読取部１９をネットワークスキャナとして利用するために、原稿が原稿台に載置されたことが検出された場合、ＰＤＬボード１３または端末装置１４からメインボード１２ａに対して送信要求（通信開始要求、すなわちプリント要求）を示す信号が入力された場合等が挙げられる。そして、復帰要因が発生した場合は、プログラムがステップＳ７に移行する。一方、復帰要因が発生していない場合は、前記ステップＳ４に戻って、プリント関連動作の有無が判別され、省エネモードが維持される。
【００４０】
ステップＳ７においては、複合機１２が省エネモードから待機モードへ移行し、電源回路２７の機能を有効化して、その電源回路２７からの電力をメインボード１２ａ及びＰＤＬボード１３の各部に供給する。さらに、ステップＳ８においては、前記のステップＳ６における復帰要因がＰＤＬボード１３または端末装置１４からのデータの送信要求であったのか否かが判別される。送信要求でなかった場合は、後述のステップＳ１２に移行する。
【００４１】
送信要求であった場合には、すなわち、省エネモード中に外部からインターフェース４２ａ，４２ｂまたは４１ａ，４１ｂを介してプリント要求を受信した場合には、ＭＰＵ１６は、前記待機モード下におけるステップＳ９において、ＰＤＬボード１３がプリントデータ受信可能状態に復帰したか否かを監視し、復帰するまではステップＳ１０において拒否信号（ＮＡＣＫ）をＬＡＮボード４３または端末装置１４に対して出力し、復帰完了を確認したことに基づいて、ステップＳ１１において許可信号（ＡＣＫ）を出力する。
【００４２】
ステップＳ１２においては、通常モード下で行われるべき何らかの動作指示があったか否かが判断される。すなわち、このステップＳ１２においては、例えば、端末装置１４からのプリント指示があった場合はそれが再確認されて、あるいは操作部２４からキー入力によりコピー指示された場合にはそれが確認されて、ステップＳ１３に移行する。一方、動作指示がない場合は、前記ステップＳ７に戻って、待機モードが維持される。
【００４３】
ステップＳ１３においては、複合機１２が待機モードから通常モードに移行される。さらに、ステップＳ１４においては、前記ステップＳ１２における動作指示の確認に基づいて、処理が実行される。具体的には、例えば、ＰＤＬボード１３の記憶部３２から転送されてきた画像メモリ２０のイメージデータに基づいて、記録部２２で記録紙へのプリントが実行される。あるいは、操作部２４からキー入力によりコピーが実行される。
【００４４】
以上のように、この実施形態によれば、省エネモードへの移行条件を満たした場合でも、メインボード１２ａまたはＰＤＬボード１３に処理中または処理待ちのプリントデータまたはイメージデータが存在するときには、すなわち、外部からのプリントデータのメインボード１２ａの受信、受信したプリントデータのＰＤＬボード１３への転送、ＰＤＬボード１３の記憶部３２におけるイメージデータの展開、ＰＤＬボード１３からメインボード１２ａへのイメージデータの転送、そして、プリント動作の実行中には省エネモードへの移行を阻止するようにしている。それ以外のときには省エネモードへの移行条件に従って省エネモードに移行できるようにしている。このため、プリントデータ及びイメージデータを損なうおそれなく、ＰＤＬボード１３が装備されていても、複合機１２が省エネモードに移行することができて、十分な省エネルギー効果を発揮することができる。
【図面の簡単な説明】
【００４５】
【図１】一実施形態の複合機の回路構成を示すブロック図。
【図２】同複合機において受信したプリントデータの処理状態を示す説明図。
【図３】同複合機において通常モード、待機モード及び省エネモードへの移行動作の前半部を示すフローチャート。
【図４】同複合機において通常モード、待機モード及び省エネモードへの移行動作の後半部を示すフローチャート。
【図５】同フローチャートにおいてプリント関連動作の判別を詳細に示すフローチャート。
【符号の説明】
【００４６】
１１…ファクシミリシステム、１２…画像処理装置としての複合機、１３…オプションボード、１４…端末装置、１５…阻止手段を構成する制御部、１６…ＭＰＵ、１７…ＲＯＭ、１８…記憶部、２０…画像メモリ、２２…記録部、２４…操作部、２４ａ…節電キー、２７…電源回路、２９…制御部、３２…記憶部、４２ａ，４２ｂ、４４ａ，４４ｂ、４５ａ，４５ｂ…インターフェース、５３…サブ電源。
【図１】
2005311884.tif 000003
【図２】
2005311884.tif 000004
【図３】
2005311884.tif 000005
【図４】
2005311884.tif 000006
【図５】
2005311884.tif 000007